(57)【特許請求の範囲】
【請求項１】
打ち込み埋設式の長芋用栽培補助具であって、
前記長芋用栽培補助具は、本体が所定の長さを有し端面視略円弧状を成す半円筒パイプ形状に形成されると共に、その先端部には土中に打ち込み進入可能な尖状を成す尖端部が形成され、且つ、後端部には金属製の縁取り片を被嵌した補強部が形成され、さらに後端縁には打撃受け用フランジ部が形成されて成り、
栽培地面に対し前記尖端部を下にして本体を略鉛直方向に立設した状態で、補強部を上方から打撃具で打ち付けることで土中に打ち込み埋設すると共に、その状態で略円弧状を成す本体の内側に長芋の種芋を植え付けて栽培育成することを特徴とする長芋用栽培補助具。
【請求項２】
前記本体が、硬質樹脂製であることを特徴とする請求項１に記載の長芋用栽培補助具。
【発明の詳細な説明】
【技術分野】
【０００１】
本発明は、長芋の人工栽培における栽培補助具に関し、詳しくは、長芋生育時における真下に延びる性質を損ねることなく、植え付け作業及び収穫作業を容易にする打ち込み式の長芋用栽培補助具に関するものである。
【背景技術】
【０００２】
山中で採取される天然の長芋（自然薯）の生育は、親芋から栄養分を吸収しながら、毎年新しい芋に生え替わり、春になると、親芋の上端から約５ｃｍ以内の位置に一つの突起が生じ、さらにその突起の付け根付近から再び上方へ向けて一つの新芽が生える。この新芽は親芋の栄養分を吸収して成長し、突起は新芋に、そして新芽は蔓になる。その生育過程に伴って、親芋は新芋に栄養分を奪われて徐々に痩せ細り、最終的には枯れ果てて消失する。これらの生育現象が毎年同じように繰り返されることによって、次第に大きな長芋（自然薯）に成長していくことが従来より知られている。
【０００３】
上記の如く成長していく天然の長芋（自然薯）の特徴は、地中深くまで成長し続け、その途中に障害物があると曲がって複雑な形状となることから、長芋の表面をスコップ等で傷付けずに掘り起こして収穫するには、熟練した掘り起こし技術と膨大な労力を必要とする。また、天然の長芋（自然薯）を限られた生育範囲で大量に採取することは、非常に稀である。市場要求においては、高品質ならびに長大の天然物を好む需要者は多いものの、その需要に応えられるだけの供給ができないのが現状でもある。
【０００４】
一方、自家製の長芋の栽培方法は、種芋、零余子等を畑に植えて栽培する過程で、パイプや波型屋根材等の栽培容器を利用することによって、収穫作業が容易で、調理し易く、真直ぐな長芋を生産する栽培方法が従来より知られている。
【０００５】
上記における自家製の長芋の栽培方法としては、例えば、長いもを直状体に育成する「長いも栽培用樋」（特許文献１）が提案され、公知技術となっている。
【０００６】
かかる「長いも栽培用樋」の提案は、半円筒状の合成樹脂製樋における下端部の両縁をはすかいに切除し、その部分より上部の樋に長手両縁より若干の巾をとって全面的に小穴を穿設して成る長いも栽培用樋である。
【０００７】
また、一人で植え付けや収穫作業ができると共に、まっすぐに生長し、梱包が容易で、粘り気があり味の良い自然薯が生産できる「自然薯栽培用ガイド鞘」（特許文献２）が提案され、公知技術となっている。
【０００８】
かかる「自然薯栽培用ガイド鞘」の提案は、半割パイプの長手方向に沿った両縁部に、断面が円弧状をなす鍔部を設けて鞘本体部を形成し、この鞘本体部の一端をスプーン状に広げて、種芋の植付部を形成した手段を採用している。
【０００９】
しかしながら、これら従来の人工栽培における長芋の栽培用具は、その何れも埋設時において土中に所定の深さを有する植え付け溝を掘削しなければならず、植え付け作業が煩雑である、といった問題があると共に、その結果として土中に対して深く縦穴を掘削する手間を省いて浅く横溝を掘削し、その横溝へ略水平に栽培用具を設置して長芋を栽培する手法が採用されており、長芋（自然薯）が本来有する真下に延びる性質を利用しておらず、その結果として曲がった形状など変形した長芋が形成されてしまうこととなって、粘り気があり味の良い高い品質の長芋が得られない、といった問題があった。
【００１０】
本出願人は、長芋の本来的な性質と人工栽培における従来器具の問題点に着目し、長芋生育時における真下に延びる性質を損ねることなく、植え付け作業及び収穫作業を容易にする器具を提供できないものかという着想の下、栽培時に手間を掛けずに略鉛直方向へ埋設し得ると共に、収穫時には長芋の表面を傷付けることなく容易に収穫することが可能な打ち込み式の長芋用栽培補助具を開発し、本発明における「長芋用栽培補助具」の提案に至るものである。
【先行技術文献】
【特許文献】
【００１１】
【特許文献１】実開昭４９−１３６７４８号公報
【特許文献２】登録実用新案第３１２６６４９号公報
【発明の概要】
【発明が解決しようとする課題】
【００１２】
本発明は、上記問題点に鑑み、長芋生育時における真下に延びる性質を損ねることなく、栽培時に手間を掛けずに略鉛直方向へ埋設し得ると共に、収穫時には長芋の表面を傷付けることなく容易に収穫することが可能な打ち込み式の長芋用栽培補助具を提供することを課題とするものである。
【課題を解決するための手段】
【００１３】
上記課題を解決するため、本発明は、打ち込み埋設式の長芋用栽培補助具であって、本体が所定の長さを有し端面視略円弧状を成す半円筒パイプ形状に形成されると共に、その先端部には土中に打ち込み進入可能な尖状を成す尖端部が形成され、且つ、後端部には金属製の縁取り片を被嵌した補強部が形成されて成る手段を採る。
【００１４】
かかる手段を採用することで、栽培地面に対し前記尖端部を下にして本体を略鉛直方向に立設した状態で、補強部を上方から打撃具で打ち付けることで土中に打ち込み埋設することができ、その状態で略円弧状を成す本体の内側に長芋の種芋を植え付けることで、長芋を人工的に栽培・育成するものである。
【００１５】
また、本発明にかかる長芋用栽培補助具は、前記本体が、硬質樹脂製である手段を採る。
【００１６】
さらに、本発明にかかる長芋用栽培補助具は、前記本体における後端縁に、打撃受け用フランジ部が形成されて成る手段を採る。
【発明の効果】
【００１７】
本発明にかかる長芋用栽培補助具によれば、後端部に金属製の縁取り片を被嵌した補強部が形成されていることで、該補強部を上方から打撃具で打ち付けることで土中に打ち込み埋設することが可能であって、予め埋設個所を掘削する必要はなく、埋設容易性に資する、といった優れた効果を奏する。
【００１８】
また、本発明にかかる長芋用栽培補助具によれば、栽培地面に対し略鉛直方向に立設した状態に埋設することが可能であって、長芋の真下に延びる性質を損ねることなく、真っ直ぐで形状の良く商品価値の高い長芋を生育することができ、商品梱包も容易にする、といった優れた効果を奏する。
【００１９】
さらに、本発明にかかる長芋用栽培補助具によれば、略鉛直方向に立設状態で埋設されているため、収穫時には外周縁を掘削して後に本体を傾倒させるだけで長芋の表面を傷付けることなく収穫することが可能であって、収穫作業の容易性に資する、といった優れた効果を奏する。
【００２０】
またさらに、本発明にかかる長芋用栽培補助具によれば、略鉛直方向に立設状態で埋設されているため、水捌けも良好で、降雨による湛水の影響を軽減することができる、といった優れた効果を奏する。
【００２１】
さらにまた、本発明にかかる長芋用栽培補助具によれば、本体が硬質樹脂等のプラスチックで形成することによって、製造手間が容易で製造コストの面でも優位性を有し、耐久性にも優れ、繰り返しの使用が可能な栽培補助具を提供し得る、といった優れた効果を奏する。
【図面の簡単な説明】
【００２２】
【図１】本発明にかかる長芋用栽培補助具の実施形態を示す説明図である。
【図２】本発明にかかる長芋用栽培補助具の使用方法を示す説明図である。
【発明を実施するための形態】
【００２３】
本発明にかかる長芋用栽培補助具１０は、打ち込み埋設式であって、本体１１が所定の長さを有し端面視略円弧状を成す半円筒パイプ形状に形成されると共に、その先端部には土中に打ち込み進入可能な尖状を成す尖端部２０が形成され、且つ、後端部には金属製の縁取り片２１を被嵌した補強部２２が形成され、さらに後端縁には打撃受け用フランジ部２３が形成されて成り、栽培地面Ｇに対し該尖端部２０を下にして本体１１を略鉛直方向に立設した状態で、補強部２２を上方から打撃具３０で打ち付けることで土中に打ち込み埋設すると共に、その状態で略円弧状を成す本体１１の内側に長芋Ｍの種芋を植え付けて栽培育成する手段を採用したことを最大の特徴とする。
以下、本発明における長芋用栽培補助具１０の実施形態を、図面に基づいて説明する。
【００２４】
尚、本発明にかかる長芋用栽培補助具１０は、以下に述べる実施例に限定されるものではなく、本発明の技術的思想の範囲内、すなわち同一の作用効果を発揮できる形状や寸法、材質等の範囲内で、適宜変更することができる。
【００２５】
図１は、本発明にかかる長芋用栽培補助具１０の実施形態を示す説明図である。
該長芋用栽培補助具１０は、長芋の人工栽培に用いられる打ち込み埋設式の補助具であって、形状的には、本体１１が所定の長さを有し、端面視略円弧状を成す半円筒パイプ形状に形成されている。
【００２６】
材質的には、例えば、塩ビ部材等の合成樹脂部材のほか、アルミ部材、銅部材、メッキ鋼部材等を使用することが考え得るが、打ち込み式であると共に、軽量化に鑑みると、硬質樹脂製部材から成るのが好ましい。
【００２７】
本体１１の先端部には、尖状を成す尖端部２０が形成されている。尖端部２０は、土中に打ち込み進入可能な尖状を成す形状で、本体１１の先端部に形成される。該尖端部２０の先端角度については、特に限定はないが、例えば側面視３０°〜６０°程度の角度を成し、それにより土中に打ち込み進入可能な尖状を成す尖端部２０が形成される。
【００２８】
本体１１の後端部には、補強部２２が形成されている。該補強部２２は、本体１１を栽培地面Ｇへ打ち込む際の打撃具３０の受け部として機能するもので、前記尖端部２０が形成された先端部と反対側の後端部に形成される。該補強部２２には、打撃具３０による打撃の衝撃に耐え得るべく、金属製の縁取り片２１が被嵌されている。該縁取り片２１は、金属製であれば材質等に限定はないが、例えばアルミ部材、銅部材、メッキ鋼部材等によって形成され、本体１１の後端部に被嵌される。
【００２９】
本体１１における後端縁には、打撃受け用フランジ部２３が形成されて成る。該打撃受け用フランジ部２３は、本体１１における後端縁が幅広・肉厚になるような突起形状を有するフランジ部を形成するもので、木槌・ハンマーなどの打撃具３０で地中に打ち込む際に、本体１１を変形又は破壊させることなく、容易且つ確実に打ち込むことを可能ならしめるものである。
【００３０】
以上の構成から成る本発明にかかる長芋用栽培補助具１０について、その使用態様を説明する
図２は、本発明にかかる長芋用栽培補助具１０の使用方法を示す説明図であり、（ａ）は植え付け時における作業状態を示しており、（ｂ）は収穫時における作業状態を示している。
【００３１】
図２（ａ）に示す様に、本発明にかかる長芋用栽培補助具１０は、植え付け時において、栽培地面Ｇに対し尖端部２０を下にして本体１１を略鉛直方向に立設した状態で、補強部２２を上方から木槌・ハンマーなどの打撃具３０で打ち付けることで、土中に打ち込み埋設する。かかる打撃具３０については、特に限定はない。尚、本体１１の全体が土中に埋設される様に打ち込むのではなく、後端部が栽培地面Ｇから若干突き出る程度で打ち込みを完了するのが好ましい。これにより、栽培箇所の目視的な把握が容易となるだけでなく、後述する収穫時に行う本体１１の傾倒作業において、その突き出た後端部が傾倒時の指掛け箇所として機能することとなる。
【００３２】
本体１１が略鉛直方向に埋設された状態で、略円弧状を成す本体１１の内側に長芋Ｍの種芋ｍを植え付け、栽培育成がなされる。それにより、長芋Ｍ自体が有する真下に延びる本来的性質から、本体１１に沿って略鉛直方向へ真っ直ぐに長芋Ｍが生長し、本体１１及びその内側に存する土壌並びに生長した長芋Ｍとが一体的・一塊的に構成されることとなる。
【００３３】
そして、図２（ｂ）に示す様に、収穫時において、略円弧状を成す本体１１の外周縁をダブルスコップ等の掘出し具３１にて所定の深さまで掘削して、栽培地面Ｇに穴が形成され、その掘削した穴側へ本体１１を傾倒させることで、該本体１１と共に土壌と長芋Ｍとが一体状・一塊状に傾倒され、すなわち本体１１の内側に土壌と長芋Ｍが張り付いた状態で共に傾倒される。傾倒した本体１１を地中から引き抜き、その後本体１１の内側に張り付いた状態の土壌を削り落して、それにより表出した長芋Ｍを収穫することとなる。
【００３４】
以上のとおり、本発明にかかる長芋用栽培補助具１０は、栽培時における土中への打ち込み埋設が容易であると共に、栽培地面Ｇに対し略鉛直方向に立設した状態に埋設することが可能であって、収穫時における手間がかからず、且つ、長芋Ｍの表面を傷付けることなく収穫することが可能であり、真っ直ぐで形状の良く商品価値の高い長芋Ｍの生育に資するものである。
【００３５】
また、打撃受け用フランジ部２３が突起状に突出することで、本体１１に引っ掛かりができて掴み易くなると共に、本体１１の補強性・耐捩性の向上並びに滑落防止に資し、収納性や運搬性の向上、そして収穫時の引き抜き作業が容易になるなど、多くの作用効果を奏することとなる。
【産業上の利用可能性】
【００３６】
本発明にかかる長芋用栽培補助具は、製造手間が容易で製造コストの面でも優位性を有し、耐久性にも優れ、繰り返しの使用が可能であることから、産業上の利用可能性は極めて大であるものと思料する。
【符号の説明】
【００３７】
１０    長芋用栽培補助具
１１    本体
２０    尖端部
２１    縁取り片
２２    補強部
２３    打撃受け用フランジ部
３０    打撃具
３１    掘出し具
Ｍ    長芋
ｍ    種芋
Ｇ    栽培地面
【要約】
【課題】長芋生育時における真下に延びる性質を損ねることなく、栽培時に手間を掛けずに略鉛直方向へ埋設し得ると共に、収穫時には長芋の表面を傷付けることなく容易に収穫することが可能な打ち込み式の長芋用栽培補助具を提供する。
【解決手段】打ち込み埋設式の長芋用栽培補助具であって、本体１１が所定の長さを有し端面視略円弧状を成す半円筒パイプ形状に形成されると共に、その先端部には土中に打ち込み進入可能な尖状を成す尖端部２０が形成され、且つ、後端部には金属製の縁取り片２１を被嵌した補強部２２が形成されて成り、栽培地面Ｇに対し尖端部２０を下にして本体１１を略鉛直方向に立設した状態で、補強部２２を上方から打撃具３０で打ち付けることで土中に打ち込み埋設すると共に、その状態で略円弧状を成す本体１１の内側に長芋Ｍの種芋を植え付けて栽培育成する手段を採る。
【選択図】図２【図１】
0006739857.tif 000002
【図２】
0006739857.tif 000003